(57)【要約】      （修正有）【課題】前玉径が小さく、レンズ系全体が小型で、かつ、主レンズ系の物体側に装着したとき、全系の収差が小さく良好なる光学性能が得られるワイドコンバーターレンズを得ること。【解決手段】主レンズ系の物体側に装着するワイドコンバーターレンズであって、最も物体側には、物体側が凹面の負の第１レンズが配置され、該第１レンズの像側には、正の第２レンズと、該第２レンズの像側には負の第３レンズが配置されており、該第１レンズの物体側と像側の面の曲率半径を各々ｒ１、ｒ２、該第１レンズの焦点距離をｆ１、該第２レンズと該第３レンズとの空気間隔をＤ、とするとき、１．０＜（ｒ１−ｒ２）／（ｒ１＋ｒ２）＜２．０−４０＜ｆ１／Ｄ＜−７なる条件を満足することを特徴とすること。【選択図】  図１
2008026779.tif 000002
【特許請求の範囲】
【請求項１】
主レンズ系の物体側に装着するワイドコンバーターレンズであって、
最も物体側には、物体側が凹面の負の屈折力の第１レンズが配置され、
該第１レンズの像側には、正の屈折力の第２レンズと負の屈折力の第３レンズが配置されており、
該第１レンズの物体側と像側の面の曲率半径を各々ｒ１、ｒ２、
該第１レンズの焦点距離をｆ１、
該第２レンズと該第３レンズとの空気間隔をＤ、
とするとき、
１．０＜（ｒ１−ｒ２）／（ｒ１＋ｒ２）＜２．０
−４０＜ｆ１／Ｄ＜−７
なる条件を満足することを特徴とするワイドコンバーターレンズ。
【請求項２】
前記第１レンズの材料の屈折率をＮｄ１とするとき、
１．５＜Ｎｄ１＜１．６
なる条件を満足することを特徴とする請求項１のワイドコンバーターレンズ。
【請求項３】
前記第１、２、３レンズは、物体側から順に、前記第１レンズ、前記第２レンズ、前記第３レンズの順に連続して配置されていることを特徴とする請求項１又は２のワイドコンバーターレンズ。
【請求項４】
前記ワイドコンバーターレンズが、物体側から順に配置された、前記第１レンズ、前記第２レンズ、前記第３レンズ、そして正の屈折力の第４レンズにより構成されることを特徴とする請求項１乃至３いずれかのワイドコンバーターレンズ。
【請求項５】
前記第１レンズと前記第２レンズとの間に配置された第５レンズを備えることを特徴とする請求項１乃至４いずれかのワイドコンバーターレンズ。
【請求項６】
主レンズ系の物体側に装着するワイドコンバーターレンズであって、
物体側より像側へ順に、物体側が凹面の負の第１レンズ、両凸形状の正の第２レンズ、両凹形状の負の第３レンズ、両凸形状の正の第４レンズより成り、
該第１レンズの物体側と像側の面の曲率半径を各々ｒ１、ｒ２、
該第１レンズの焦点距離をｆ１、
該第２レンズと該第３レンズとの空気間隔をＤ、
とするとき、
１．０＜（ｒ１−ｒ２）／（ｒ１＋ｒ２）＜２．０
−４０＜ｆ１／Ｄ＜−７
なる条件を満足することを特徴とするワイドコンバーターレンズ。
【請求項７】
前記第１レンズの材料の屈折率をＮｄ１とするとき、
１．５＜Ｎｄ１＜１．６
なる条件を満足することを特徴とする請求項６のワイドコンバーターレンズ。
【請求項８】
撮影レンズと、該撮影レンズによって形成された像を受光する固体撮像素子とを有する撮像装置の該撮影レンズの物体側に装着可能であることを特徴とする請求項１から７のワイドコンバーターレンズ。
【請求項９】
撮影レンズと、該撮影レンズの物体側に装着可能な請求項１から８のいずれか１項のワイドコンバーターレンズと、該ワイドコンバーターレンズを装着した該撮影レンズによって形成された像を受光する固体撮像素子とを有することを特徴とする撮像装置。
【発明の詳細な説明】
【技術分野】
【０００１】
本発明は、デジタルスチルカメラやビデオカメラ、放送用カメラなどに用いられる撮影レンズ（主レンズ系）の物体側に装着して、全系の焦点距離を主レンズ系の本来の焦点距離に比べて短い方へ変化させるワイドコンバーターレンズに関する。
【背景技術】
【０００２】
一般に主レンズ系（撮影レンズ）の焦点距離を広角側に変移させる（短い方に変移させる）方法として、主レンズ系の物体側にアフォーカルレンズを装着するフロント方式のワイドコンバーターレンズが知られている。この方式は、焦点距離を変移させても、主レンズ系のＦナンバーを犠牲にしない（変化させない）という利点がある。
【０００３】
このフロント方式のワイドコンバーターレンズとしては、例えば、物体側より負の屈折力の第１レンズ、負の屈折力の第２レンズと正の屈折力の第３レンズの貼り合わせから成る３枚構成のものが知られている（特許文献１）。
【０００４】
近年、光学性能の向上を目的とし、負の屈折力の第１レンズ、正の屈折力の第２レンズ、負の屈折力の第３レンズ、正の屈折力の第４レンズから成る４枚のレンズより構成したワイドコンバーターレンズが提案されている（特許文献２）。
【特許文献１】米国特許第２８５４８９１号
【特許文献２】特開２０００−２４１７００号公報
【発明の開示】
【発明が解決しようとする課題】
【０００５】
従来のワイドコンバーターレンズは、少ないレンズ枚数で構成し、小型化を図っている。このようなワイドコンバーターレンズを主レンズ系の物体側に装着すると、軸外光束がレンズ周辺部を通過するという光学性質から、像面湾曲や歪曲収差、倍率色収差の変化が大きくなってくる。
又、ワイドコンバーターレンズをズームレンズに装着すると、多くの場合広角端において、歪曲収差や像面湾曲が増大してくる。
【０００６】
広角端において、歪曲収差や像面湾曲を少なくするために、物体側のレンズ面に強い正の屈折力(パワー)を持たせると、望遠側において球面収差が負の方向に増大してくる。この結果、全ズーム領域において、高画質な映像を得るのが難しくなってくる。
【０００７】
特許文献１で提案されているズームレンズに着脱自在に装着するためのワイドコンバーターレンズは、物体側から負、負、正の屈折力のレンズより成る３枚構成であるが、広角端で発生する歪曲収差が大きく、ズーム全域で倍率色収差が大きくなる傾向があった。
【０００８】
また、アフォーカル倍率が小さくなるとレンズのパワーが全体的に大きくなり、その影響でズーミングによる像面変動が大きくなってしまう傾向があった。
【０００９】
特許文献２で提案されている４枚構成のワイドコンバーターレンズは、ズームレンズに装着したとき、広角側において、メリディオナル像面と倍率色収差が改善されている。
【００１０】
しかしながらメリディオナル像面の倒れを小さくするために、第２レンズと第３レンズとの間隔を広くしており、この結果前玉有効径が増大し、レンズ系全体が大型化する傾向があった。
【００１１】
ズームレンズに装着されるワイドコンバーターレンズには、前玉有効径の増大を防止しつつ、レンズ系全体の小型化を図りつつ、良好なる画質を得られることが求められている。
【００１２】
本発明は、前玉径が小さく、レンズ系全体が小型で、かつ、主レンズ系の物体側に装着したとき、全系の収差が小さく良好なる光学性能が得られるワイドコンバーターレンズ及びそれを有する撮像装置の提供を目的とする。
【課題を解決するための手段】
【００１３】
本発明のワイドコンバーターレンズは、
主レンズ系の物体側に装着するワイドコンバーターレンズであって、
最も物体側には、物体側が凹面の負の第１レンズが配置され、該第１レンズの像側には、正の屈折力の第２レンズと負の屈折力の第３レンズが配置されており、
該第１レンズの物体側と像側の面の曲率半径を各々ｒ１、ｒ２、
該第１レンズの焦点距離をｆ１、
該第２レンズと該第３レンズとの空気間隔をＤ、
とするとき、
１．０＜（ｒ１−ｒ２）／（ｒ１＋ｒ２）＜２．０
−４０＜ｆ１／Ｄ＜−７
なる条件を満足することを特徴としている。
この他、本発明のワイドコンバーターレンズは、
主レンズ系の物体側に装着するワイドコンバーターレンズであって、物体側より像側へ順に、物体側が凹面の負の第１レンズ、両凸形状の正の第２レンズ、両凹形状の負の第３レンズ、両凸形状の正の第４レンズより成り、
該第１レンズの物体側と像側の面の曲率半径を各々ｒ１、ｒ２、
該第１レンズの焦点距離をｆ１、
該第２レンズと該第３レンズとの空気間隔をＤ、
とするとき、
１．０＜（ｒ１−ｒ２）／（ｒ１＋ｒ２）＜２．０
−４０＜ｆ１／Ｄ＜−７
なる条件を満足することを特徴としている。
【発明の効果】
【００１４】
本発明によれば、主レンズ系に装着しても収差変動が小さく、良好な光学性能の画像が得られる小型のワイドコンバーターレンズが得られる。
【発明を実施するための最良の形態】
【００１５】
以下、本発明のワイドコンバーターレンズ及びそれを主レンズ系に装着したときの撮影系及び該撮影系を用いた撮像装置について説明する。
【００１６】
図１は、本発明の実施例１のワイドコンバーターレンズのレンズ断面図である。
【００１７】
図２は、本発明のワイドコンバーターレンズを着脱自在に装着する一例として選んだズーミング作用を有する主レンズ系ＭＳのレンズ断面図である。
【００１８】
図３は、本発明の実施例１のワイドコンバーターレンズを主レンズ系ＭＳの物体側に装着したときのレンズ断面図である。
【００１９】
図４、５は、本発明の実施例１のワイドコンバーターレンズを主レンズ系の物体側に装着したときの広角端と望遠端のズーム位置における収差図である。
【００２０】
図６、図７は、主レンズ系ＭＳのみの広角端と望遠端のズーム位置における収差図である。
【００２１】
図８は、本発明の実施例２のワイドコンバーターレンズのレンズ断面図である。
【００２２】
図９、図１０は、本発明の実施例２のワイドコンバーターレンズを主レンズ系の物体側に装着したときの広角端と望遠端のズーム位置における収差図である。
【００２３】
図１１は、本発明の実施例３のワイドコンバーターレンズのレンズ断面図である。
【００２４】
図１２、図１３は、本発明の実施例３のワイドコンバーターレンズを主レンズ系の物体側に装着したときの広角端と望遠端のズーム位置における収差図である。
【００２５】
図１４は、本発明の実施例４のワイドコンバーターレンズのレンズ断面図である。
【００２６】
図１５、図１６は、本発明の実施例４のワイドコンバーターレンズを主レンズ系の物体側に装着したときの広角端と望遠端のズーム位置における収差図である。
【００２７】
図１７、図１８は、引用文献２のワイドコンバーターレンズを主レンズ系の物体側に装着したときの広角端と望遠端のズーム位置における収差図である。
【００２８】
図１９は、本発明のワイドコンバーターレンズを有する撮像装置の説明図である。
【００２９】
レンズ断面図において、ＷＣはワンドコンバーターレンズ、ＭＳは主レンズ系である。
【００３０】
レンズ断面図において、左方が物体側で、右方が像側である。
【００３１】
収差図において、ΔＭはメリディオナル像面、ΔＳはサジタル像面、倍率色収差はｇ線によって表わしている。
【００３２】
ｆｎｏはＦナンバーである。ωは半画角である。
【００３３】
各実施例のワイドコンバーターレンズＷＣは、主レンズ系ＭＳの物体側に装着して全系の焦点距離を主レンズ系単独のときの焦点距離に比べて短縮する方向へと変化させている。
【００３４】
各実施例のワイドコンバーターレンズＷＣはアフォーカル系を構成している。そして、物体側から数えて任意の数のレンズより成る前群は負の屈折力である。又、任意の数のレンズより成る前群より像側の全てのレンズより成る後群は正の屈折力である。
【００３５】
各実施例のワイドコンバーターレンズＷＣは、最も物体側に物体側が凹面の負の屈折力の第１レンズが配置され、第１レンズの像側には、正の屈折力の第２レンズと、負の屈折力の第３レンズが配置されていることを特徴としている。
【００３６】
具体的には、物体側より像側へ順に、物体側が凹面の負の第１レンズ、両凸形状の正の第２レンズ、両凹形状の負の第３レンズ、両凸形状の負の第４レンズより成っている。
【００３７】
各実施例では、第１レンズの物体側の面を凹面とする事で、従来メリディオナル像面を補正する為に必要としていた第２レンズと第３レンズとの間の広い空気間隔を短縮する事が出来、前玉径の増大を最小限に抑えている。ここで、第２レンズは、前述のように両凸形状であるのが好ましいがこの限りでは無く、正の屈折力を有していれば、別の形状でも構わない。また、第３レンズは、両凹形状であることが望ましいが、負の屈折力を有していれば、他の形状でも構わない。また、第４レンズは、両凸形状であるのが好ましいがこの限りでは無く、正の屈折力を有していれば、別の形状でも構わない。
【００３８】
又、第１〜第４レンズを前述の如く構成することによって、主レンズ系に装着したときの収差の発生が少なく、全ズーム範囲にわたり高い光学性能を得ている。
【００３９】
尚、ワイドコンバーターレンズＷＣは、最も広い空気間隔を境に、第１レンズより成る負の屈折力の前群と正の第２レンズ、負の第３レンズ、正の第４レンズより成る正の屈折力の後群より成る。アフォーカル系として取扱っても良い。
【００４０】
又、第１、第２レンズより成る負の屈折力の前群と、第３、第４レンズより成る正の屈折力の後群より成るアフォーカル系として取扱っても良い。或いは、第1、第２、第３レンズより成る負の前群と、第4レンズより成る正の後群によって構成されるアフォーカル系として取扱っても良い。
【００４１】
第１レンズの物体側と像側の面の曲率半径を各々ｒ１、ｒ２とする。
【００４２】
第１レンズの焦点距離をｆ１、
第２レンズと該第３レンズとの空気間隔をＤ、
とする。このとき、
１．０＜（ｒ１−ｒ２）／（ｒ１＋ｒ２）＜２．０      ・・・（１）
−４０＜ｆ１／Ｄ＜―７                              ・・・（２）
なる条件を満足している。
【００４３】
又、第１レンズの材料の屈折率をＮｄ１とするとき、
１．５＜Ｎｄ１＜１．６                              ・・・（３）
なる条件を満足している。
【００４４】
条件式（１）は、第１レンズのレンズ形状を決める為のものである。広角端における歪曲収差と望遠側における球面収差の双方の補正のバランスを取っている。条件式（１）の上限値を超えると、物体側のレンズ面の曲率が小さくなり、広角端において歪曲収差が大きくなる。一方、条件式（１）の下限値を下回ると、レンズ面の曲率が緩くなる為に広角端において歪曲収差の発生は小さくなるが、メリディオナル像面がアンダー方向に大きくなり、結像性能が劣化してくる。
【００４５】
条件式（２）は、第２レンズと第３レンズとのレンズ間隔を制限してレンズ系全体の大型化を抑えるためのものである。条件式（２）の上限値を超えて間隔が増大すると、広角端においてメリディオナル像面を補正するのが容易となるが、レンズ系全体が大型化してくる。一方、条件式（２）の下限値を下回ると、レンズ系は小型になるが、各レンズ面のパワーが強まり、高次収差が多く発生する。この為、広角端において、歪曲収差、望遠端において球面収差を補正しつつ広角端におけるメリディオナル像面を補正する事が困難となる。
【００４６】
条件式（３）は、第１レンズの材料の屈折率に関し、主に第１レンズでの諸収差の補正を良好に行うための条件である。条件式（３）の上限値を超えると、広角端において歪曲収差の発生を抑えるためにレンズ面の曲率を緩くしなければならず、この結果望遠側において球面収差の補正が困難となる。一方、条件式（３）の下限値を下回ると、広角端においてメリディオナル像面を補正する為にレンズ面の曲率をきつくしなければならず、この結果歪曲収差の発生が多くなってくるので良くない。
【００４７】
尚、各実施例において、収差補正上更に好ましくは、条件式（１）〜（３）の数値範囲を次の如く設定するのが良い。
【００４８】
１．１＜（ｒ１−ｒ２）／（ｒ１＋ｒ２）＜１．８    ・・・（１ａ）
−３５＜ｆ１／Ｄ＜−１０                          ・・・（２ａ）
１．５１＜Ｎｄ１＜１．５９                         ・・・（３ａ）
更に好ましくは、条件式(１)〜（３）を次の如く設定するのが良い。
【００４９】
１．３＜（ｒ１−ｒ２）／（ｒ１＋ｒ２）＜１．７５  ・・・（１ｂ）
−３５＜ｆ１／Ｄ＜−１２                          ・・・（２ｂ）
１．５１＜Ｎｄ１＜１．５２０                        ・・・（３ｂ）
以上のように各実施例では、最も物体側の負の第１レンズのレンズ形状と硝材を適切に選ぶ事でレンズ系全体の大型化を招く事なく広角端のメリディオナル像面湾曲を良好に補正し、ズーミングによる像面変動や倍率色収差の変動を抑えている。
【００５０】
図１７、図１８は、引用文献２に開示されている数値実施例のワイドコンバーターレンズを図２の主レンズ系の物体側に装着したときの広角端と望遠端における収差図である。
【００５１】
本発明の各実施例においては、引用文献２のワイドコンバーターレンズよりも前玉径が小さく、レンズ系全体が小型であるにもかかわらず、引用文献２と同等又はそれ以上に諸収差が良好に補正されていることがわかる。
【００５２】
各実施例では、以上のように各条件を満足することによって、広角端と望遠端とでの収差の補正をバランスさせて、ズーム全域で画質劣化の少ない高性能のワイドコンバーターレンズを達成している。
【００５３】
次に図２に示した主レンズ系ＭＳのレンズ構成について説明する。
【００５４】
図２のレンズ断面図において、Ｌ１は正の屈折力(光学パワー＝焦点距離の逆数)の第１レンズ群、Ｌ２は負の屈折力の第２レンズ群、Ｌ３は正の屈折力の第３レンズ群、Ｌ４は正の屈折力の第４レンズ群である。ＳＰは開口絞りであり、第３レンズ群Ｌ３の物体側に位置している。
【００５５】
Ｇは光学フィルター、フェースプレート等に相当する光学ブロックである。ＩＰは像面であり、ビデオカメラやデジタルカメラの撮影光学系として使用する際にはＣＣＤセンサやＣＭＯＳセンサ等の固体撮像素子（光電変換素子）の撮像面が、銀塩フィルム用カメラの撮像光学系とし使用する際にはフィルム面に相当する。
【００５６】
広角端から望遠端へのズーミングに際して矢印のように、第２レンズ群Ｌ２を像側へ移動させて変倍を行うと共に、変倍に伴う像面変動を第４レンズ群Ｌ４を物体側に凸状の軌跡を有するよう移動させて補正している。
【００５７】
また第４レンズ群Ｌ４を光軸上移動させてフォーカシングを行うリアフォーカス式を採用している。第４レンズ群Ｌ４に関する実線の曲線４ａと点線の曲線４ｂは、各々無限遠物体と近距離物体にフォーカスしているときの変倍に伴う像面変動を補正するための移動軌跡である。
【００５８】
又、望遠端において無限遠物体から近距離物体へフォーカスを行う場合には、矢印４ｃに示すように第４レンズ群Ｌ４を前方に繰り出すことで行っている。
【００５９】
尚、第１レンズ群Ｌ１と第３レンズ群Ｌ３、そして開口絞りＳＰは、ズーム及びフォーカスの為には光軸方向に移動しないが、収差補正上必要に応じて移動させても良い。
【００６０】
次に本発明のワイドコンバーターレンズを主レンズ系に装着し、撮影光学系として用いたビデオカメラの実施形態を図１９を用いて説明する。
【００６１】
図１９において、１０はビデオカメラ本体、１１は本発明のワイドコンバーターレンズを主レンズ系に装着した撮影光学系である。１２は撮影光学系１１によって被写体像を受光するＣＣＤセンサやＣＭＯＳセンサ等の固体撮像素子（光電変換素子）、１３は撮像素子１２が受光した被写体像を記録するメモリである。１４は不図示の表示素子に表示された被写体像を観察するためのファインダーである。上記表示素子は液晶パネル等によって構成され、撮像素子１２上に形成された被写体像が表示される。
【００６２】
このように本発明の撮影光学系をビデオカメラ等の撮像装置に適用することにより、高い光学性能を有する撮像装置が実現できる。
【００６３】
以下に、本発明の各実施例のワイドコンバーターレンズの各実施例の数値実施例と主レンズ系の数値実施例について示す。
【００６４】
数値実施例において、ｒｉは物体側から数えて第ｉ番目の面の曲率半径である。ｄｉは物体側から数えて第ｉ番目の面と第ｉ＋１番目の面との間の面間隔である。ｎｉは第ｉ番目のレンズの材料のｄ線における屈折率、νｉは第ｉ番目のレンズの材料のｄ線におけるアッベ数である。
【００６５】
また、ｋを円錐定数、Ａ’，Ｂ，Ｂ’，Ｃ，Ｃ’，Ｄ，Ｄ’，Ｅ，Ｅ’，Ｆを３次、４次、５次、６次、７次、８次、９次、１０次、１１次、１２次の非球面係数とし、光軸からの高さｈの位置での光軸方向の変位を面頂点を基準にしてｘとするとき、非球面形状は、
ｘ＝（ｈ２／Ｒ）／［１＋［１−（１＋Ｋ）（ｈ／Ｒ）２］１／２］＋Ａ’ｈ３＋Ｂｈ４
＋Ｂ’ｈ５＋Ｃｈ６＋Ｃ’ｈ７＋Ｄｈ８
＋Ｄ’ｈ９＋Ｅｈ１０＋Ｅ’ｈ１１＋Ｆｈ１２
で表示される。但し、Ｒは曲率半径であり、「ｅ−Ｘ」は「×１０−Ｘ」を意味している。尚、非球面は各表中の面番号の左側に＊印を付している。
【００６６】
又前述の各条件式と数値実施例における諸数値との関係を表１に示す。
【００６７】
ワイドコンバーターレンズ  数値実施例１
【００６８】
【数１】
2008026779.tif 000003
【００６９】
ワイドコンバーターレンズ  数値実施例２
【００７０】
【数２】
2008026779.tif 000004
【００７１】
ワイドコンバーターレンズ  数値実施例３
【００７２】
【数３】
2008026779.tif 000005
【００７３】
ワイドコンバーターレンズ  数値実施例４
【００７４】
【数４】
2008026779.tif 000006
【００７５】
主レンズ系  数値実施例
【００７６】
【数５】
2008026779.tif 000007
【００７７】
【数６】
2008026779.tif 000008
【００７８】
【表１】
2008026779.tif 000009
【００７９】
以上のすべての実施例において、物体側から、負レンズ、正レンズ、負レンズ、正レンズの順に配置された４枚のレンズから成るコンバーターレンズを開示した。しかしながら、このコンバーターレンズの構成はこの限りではなく、第１レンズと第２レンズとの間に負の屈折力の第５レンズを配置し、物体側から、第１レンズ、第５レンズ、第２レンズ、第３レンズ、第４レンズと言う構成にしても良い。尚、第５レンズの屈折力は、正であっても構わない。
【図面の簡単な説明】
【００８０】
【図１】実施例１のワイドコンバーターレンズのレンズ断面図
【図２】主レンズ系のレンズ断面図
【図３】実施例１のワイドコンバーターレンズと主レンズ系のレンズ断面図
【図４】実施例１のワイドコンバーターレンズと主レンズ系の広角端での収差図
【図５】実施例１のワイドコンバーターレンズと主レンズ系の望遠端での収差図
【図６】主レンズ系の広角端のズーム位置における収差図
【図７】主レンズ系の望遠端のズーム位置における収差図
【図８】実施例２のワイドコンバーターレンズのレンズ断面図
【図９】実施例２のワイドコンバーターレンズと主レンズ系の広角端での収差図
【図１０】実施例２のワイドコンバーターレンズと主レンズ系の望遠端での収差図
【図１１】実施例３のワイドコンバーターレンズのレンズ断面図
【図１２】実施例３のワイドコンバーターレンズと主レンズ系の広角端での収差図
【図１３】実施例３のワイドコンバーターレンズと主レンズ系の望遠端での収差図
【図１４】実施例４のワイドコンバーターレンズのレンズ断面図
【図１５】実施例４のワイドコンバーターレンズと主レンズ系の広角端での収差図
【図１６】実施例４のワイドコンバーターレンズと主レンズ系の望遠端での収差図
【図１７】引用文献２のワイドコンバーターレンズを主レンズ系に装着したときの広角端での収差図
【図１８】引用文献２のワイドコンバーターレンズを主レンズ系に装着したときの望遠端での収差図
【図１９】本発明の撮像装置の概略図
【符号の説明】
【００８１】
ＦＧ  ：  ワイドコンバーターレンズの前群
ＲＧ  ：  ワイドコンバーターレンズの後群
ＷＣ  ：  ワイドコンバーターレンズ
ＭＳ  ：  主レンズ系
Ｌ１  ：  主レンズ系の第１群
Ｌ２  ：  主レンズ系の第２群
Ｌ３  ：  主レンズ系の第３群
Ｌ４  ：  主レンズ系の第４群
ＳＰ  ：  開口絞り
ｆｎｏ  ：  Ｆナンバー
ω  ：  半画角
ＤＳ  ：  サジタル像面
ＤＭ  ：  メリジオナル像面
【図１】
2008026779.tif 000010
【図２】
2008026779.tif 000011
【図３】
2008026779.tif 000012
【図４】
2008026779.tif 000013
【図５】
2008026779.tif 000014
【図６】
2008026779.tif 000015
【図７】
2008026779.tif 000016
【図８】
2008026779.tif 000017
【図９】
2008026779.tif 000018
【図１０】
2008026779.tif 000019
【図１１】
2008026779.tif 000020
【図１２】
2008026779.tif 000021
【図１３】
2008026779.tif 000022
【図１４】
2008026779.tif 000023
【図１５】
2008026779.tif 000024
【図１６】
2008026779.tif 000025
【図１７】
2008026779.tif 000026
【図１８】
2008026779.tif 000027
【図１９】
2008026779.tif 000028